(57)【要約】【課題】浴室カウンターと浴槽のエプロンや浴室壁との隙間をなくすことができるように、浴室カウンターの左右両端間の横幅を調整可能にした浴室カウンターを提供する。【解決手段】カウンター本体１の左右両端に差込部４を設け、カウンター本体１を支持する支持体３の端部に差込部４を挿入する差込口５を設け、差込口５に挿入する差込部４の差込み量を調整すると共に、浴室カウンターと浴槽１１のエプロン１２や浴室壁１３との隙間をなくすことができるように、カウンター本体１の左右両側の支持体３の位置をエプロン１２や浴室壁１３に合わせて調整して取り付けることを可能にした。【選択図】      図１
2004147711.tif 000002
【特許請求の範囲】
【請求項１】
カウンター本体の左右両端に差込部を設け、カウンター本体を支持する支持体の端部に差込部を挿入する差込口を設け、差込口に挿入する差込部の差込み量を調整可能にしたことを特徴とする浴室カウンター。
【請求項２】
支持体の上面をカウンター本体の上面より高くしたことを特徴とする請求項１に記載の浴室カウンター。
【請求項３】
差込口の上方に位置する支持体の側面に複数の孔部を設け、孔部に左右両側の支持体に架設される支持棒を挿着し、支持棒の上面に小物用カウンターを載置したことを特徴とする請求項１又は２に記載の浴室カウンター。
【発明の詳細な説明】
【０００１】
【発明の属する技術分野】
本発明は、浴室内に設置する浴室カウンターに関する。
【０００２】
【従来の技術】
従来より、浴室カウンターの左右両端間の横幅を浴室サイズに応じて一定となるように、浴室カウンターを工場で製造し、現場にて浴室カウンターを浴槽のエプロンや浴室壁に取り付けて施工していた。（例えば、特許文献１参照）
しかし、現場にて浴室カウンターを浴槽のエプロンや浴室壁に取り付ける場合、浴室カウンターの端部とエプロンや浴室壁との間に隙間が発生し、浴室カウンターの横幅を調整して隙間をなくすようにすることが難しかった。また、浴室カウンターの端部とエプロンや浴室壁との間に隙間が発生すると、浴室カウンターの見映えが悪くなるという問題があった
【０００３】
【特許文献１】
特開平５−２８５０５７号公報（第２、３頁、図１）
【０００４】
【発明が解決しようとする課題】
本発明は、上記の問題点を解消するためのもので、浴室カウンターと浴槽のエプロンや浴室壁との隙間をなくすことができるように、浴室カウンターの左右両端間の横幅を調整可能にした浴室カウンターを提供するものである。
【０００５】
【課題を解決するための手段】
本発明の請求項１記載の浴室カウンターは、カウンター本体の左右両端に差込部を設け、カウンター本体を支持する支持体の端部に差込部を挿入する差込口を設け、差込口に挿入する差込部の差込み量を調整可能にしたことを特徴とする。
【０００６】
このものにあっては、カウンター本体の左右両端の差込部をカウンター本体を支持する支持体の差込口に挿入すると共に、差込口に挿入する差込部の差込み量を調整し、カウンター本体の左右両側の支持体の位置を浴槽のエプロンや浴室壁に合わせて調整して取り付けるので、浴室カウンターとエプロンや浴室壁との隙間をなくすことができる。
【０００７】
本発明の請求項２に記載浴室カウンターは、請求項１に記載の浴室カウンターにおいて、支持体の上面をカウンター本体の上面より高くしたことを特徴とする。
【０００８】
このものにあっては、支持体の上面がカウンター本体の上面よりが高くなっているので、カウンター本体の上で洗面器を使用している時に、洗面器から水が飛び散ったとしても、石鹸やタオルを支持体の上に載せていれば、石鹸やタオルに水が掛かりにくくなる。
【０００９】
本発明の請求項３に記載の浴室カウンターは、請求項１又は２に記載の浴室カウンターにおいて、差込口の上方に位置する支持体の側面に複数の孔部を設け、孔部に左右両側の支持体に架設される支持棒を挿着し、支持棒の上面に小物用カウンターを載置したことを特徴とする。
【００１０】
このものにあっては、差込口の上方に位置する支持体の側面に複数の孔部を設け、孔部に両側の支持体に架設される支持棒を挿着し、支持棒の上面に小物用カウンターを載置しているので、小物類を小物用カウンターに置いて、容易に小物類を取り出したり、片付けたりすることができると共に、カウンター本体の上で洗面器を使用している時に、洗面器から水が飛び散ったとしても、石鹸やタオルを小物用カウンターの上に載せていれば、石鹸やタオルに水が掛かりにくくなる。
【００１１】
【発明の実施の形態】
以後、本発明の実施形態を、図を用いて説明する。
【００１２】
図１は、本発明の実施形態に係る浴室カウンターの第一の実施例を示すものである。
【００１３】
カウンター本体１は板状であって、カウンター本体１の上面は四辺形状になっているが、中央部は半円形状で前方に突出している。尚、カウンター本体１の左右両端部には、差込部４を備えている。
【００１４】
支持体３は、カウンター本体１を挟むようにして支持し、カウンター本体１の左右両側に位置している。支持体３の端部に、カウンター本体１の差込部４を挿入する差込口５を備えている。尚、支持体３は浴槽１１のエプロン１２又は浴室壁１３に金具で固定されている。
【００１５】
次に、浴室カウンターの取付方法について説明する。
カウンター本体１の左側に位置する支持体３を浴槽１１のエプロン１２又は浴室壁１３に金具で取り付けた後、カウンター本体１の左端部の差込部４を左側の支持体３の差込口５に挿入する。
【００１６】
そして、カウンター本体１の右側に位置する支持体３の差込口５に、カウンター本体１の右端部の差込部４を挿入した後、差込口５に挿入した差込部４の差込み量を調整しながら、カウンター本体１の右側の支持体３をエプロン１２又は浴室壁１３に金具で取り付けて固定する。
【００１７】
尚、カウンター本体１の右側に位置する支持体３を先にエプロン１２又は浴室壁１３に金具で取り付け、カウンター本体１の右端部の差込部４を右側の支持体３の差込口５に挿入した後、カウンター本体１の左側に位置する支持体３の差込口５に、カウンター本体１の左端部の差込部４を挿入し、差込口５に挿入した差込部４の差込み量を調整しながら、カウンター本体１の左側の支持体３をエプロン１２又は浴室壁１３に金具で取り付けて固定しても良い。
【００１８】
したがって、カウンター本体１の差込部４を支持体３の差込口５に挿入すると共に、差込部４の差込み量を調整し、カウンター本体１の左右両側の支持体３の位置を浴槽１１のエプロン１２や浴室壁１３に合わせて調整して取り付けるので、浴室カウンターとエプロン１２や浴室壁１３との隙間をなくすことができる。
【００１９】
尚、カウンター本体１は中央部が半円形状に前方に突出しているので、カウンター本体１を押出成型で製造することはできない。つまり、浴室カウンターとエプロン１２や浴室壁１３との隙間をなくすために、カウンター本体１の端部を切断して隙間を調整することはできない。
【００２０】
また、支持体３の上面がカウンター本体１の上面よりが高くなっているので、カウンター本体１の上で洗面器を使用している時に、洗面器から水が飛び散ったとしても、石鹸やタオルを支持体３の上に載せていれば、石鹸やタオルに水が掛かりにくくなる。
【００２１】
図２は、本発明の実施形態に係る浴室カウンターの第二の実施例を示すものである。第一の実施例と同じものには、同符号を付して説明を省略する。第一の実施例と異なる点は、差込口５の上方に位置する支持体３の側面に複数の孔部６を設け、孔部６に左右両側の支持体３に架設される支持棒７を挿着し、支持棒７の上面に小物用カウンター８を載置した点である。
【００２２】
したがって、差込口５の側面に複数の孔部６を設け、孔部６に両側の支持体に架設される支持棒７を挿着し、支持棒７の上面に小物用カウンター８を載置しているので、小物類を小物用カウンター８に置いて、容易に小物類を取り出したり、片付けたりすることができると共に、カウンター本体１の上で洗面器を使用している時に、洗面器から水が飛び散ったとしても、石鹸やタオルを小物用カウンター８の上に載せていれば、石鹸やタオルに水が掛かりにくくなる。
【００２３】
【発明の効果】
以上の説明により、本発明の請求項１記載の浴室カウンターによると、カウンター本体の左右両端の差込部をカウンター本体を支持する支持体の差込口に挿入すると共に、差込口に挿入する差込部の差込み量を調整し、カウンター本体の左右両側の支持体の位置を浴槽のエプロンや浴室壁に合わせて調整して取り付けるので、浴室カウンターとエプロンや浴室壁との隙間をなくすことができる。
【００２４】
本発明の請求項２に記載の浴室カウンターによると、支持体の上面がカウンター本体の上面よりが高くなっているので、カウンター本体の上で洗面器を使用している時に、洗面器から水が飛び散ったとしても、石鹸やタオルを支持体の上に載せていれば、石鹸やタオルに水が掛かりにくくなる。
【００２５】
本発明の請求項３に記載の浴室カウンターによると、差込口の上方に位置する支持体の側面に複数の孔部を設け、孔部に両側の支持体に架設される支持棒を挿着し、支持棒の上面に小物用カウンターを載置しているので、小物類を小物用カウンターに置いて、容易に小物類を取り出したり、片付けたりすることができると共に、カウンター本体の上で洗面器を使用している時に、洗面器から水が飛び散ったとしても、石鹸やタオルを小物用カウンターの上に載せていれば、石鹸やタオルに水が掛かりにくくなる。
【図面の簡単な説明】
【図１】本発明の実施形態係る浴室カウンターの第一実施例を示す斜視図である。
【図２】同上の浴室カウンターの第二実施例を示す斜視図である。
【符号の説明】
１      カウンター本体
３      支持体
４      差込部
５      差込口
６      孔
７      支持棒
８      小物用カウンター
【図１】
2004147711.tif 000003
【図２】
2004147711.tif 000004